(57)【要約】      （修正有）【課題】所望の湿度に調整あるいは回復可能な表示装置および加湿処理装置を提供する。【解決手段】表示装置は、筐体１４と、筐体内の空間を第１領域ＡＥ１と第２領域ＡＥ２とに仕切る仕切り部材５０と、第１領域内に配置された表示パネル１２であって、複数の画素電極が設けられた第１基板１８と、第１基板１８に対向して設けられた第２基板２６ｂと、第１基板１８と第２基板２６ｂとの間に設けられた電気泳動素子２０と、第１基板１８および第２基板２６ｂの周縁部を封止している封止部材ＳＥと、を有する表示パネルと、第１領域ＡＥ１内に配置され第１領域ＡＥ１内の湿度を保持する調湿部材５４と、第２領域ＡＥ２内に配置された駆動回路基板６０および電源部ＢＴと、を備えている。【選択図】図３
2019211517.tif 000002
【特許請求の範囲】
【請求項１】
筐体と、
前記筐体内の空間を第１領域と第２領域とに仕切る仕切り部材と、
前記第１領域内に配置された表示パネルであって、複数の画素電極が設けられた第１基板と、前記第１基板に対向して設けられた第２基板と、前記第１基板と第２基板との間に設けられた電気泳動素子と、前記第１基板および第２基板の周縁部を封止している封止部材と、を有する表示パネルと、
前記第１領域内に配置され前記第１領域内の湿度を保持する調湿部材と、
前記第２領域内に配置された駆動回路基板および電源部と、
を備える表示装置。
【請求項２】
前記仕切り部材は、前記第１領域と第２領域とを連通する第１開口を有し、
前記表示パネルの第１基板は、前記第１開口を通る配線部材により、前記駆動回路基板に電気的に接続され、前記第１開口を閉じる閉塞部材を更に備えている請求項１に記載の表示装置。
【請求項３】
前記仕切り部材は、仕切り板で構成され、前記表示パネルは、前記仕切り板に対向して配置され、前記調湿部材は板状に形成され、前記表示パネルと仕切り板との間に配置されている請求項１又は２に記載の表示装置。
【請求項４】
前記筐体は、前記第１領域に連通可能な第１注入口を有し、前記閉塞部材は、前記第１注入口に対向しているとともに前記第１領域に連通可能な第２注入口を有している請求項２に記載の表示装置。
【請求項５】
前記調湿部材は、多孔質材あるいは高吸水性高分子材料で形成されている請求項１に記載の表示装置。
【請求項６】
電気泳動素子を用いる表示パネルと、前記表示パネルを収容する筐体と、を備えた表示装置を載置する載置台と、
前記表示装置に充電する電力供給装置と、
前記表示装置を加湿給する加湿器と、
を備える加湿処理装置。
【請求項７】
前記加湿器は、前記表示装置の筐体に設けられた注入口を介して前記筐体内に加湿空気を供給するノズルを備えている請求項６に記載の加湿処理装置。
【発明の詳細な説明】
【技術分野】
【０００１】
本発明の実施形態は、表示装置および表示装置の機能を回復させるための加湿処理装置に関する。
【背景技術】
【０００２】
表示装置の一例として、素子基板と対向基板との間に、マイクロカプセルが配列された電気泳動素子を挟持した電気泳動表示装置（電子ペーパーと称する場合もある）が提案されている。この種の電気泳動表示装置は、記憶性を有しているため、表示状態を維持するために電圧を印加する必要がない。  
電気泳動表示装置は、乾燥に弱く、日本の冬期間に使い続けると表示領域の周辺部のコントラストが低下する。そこで、電気泳動素子の水分量を検出し、検出値に基づいて電気泳動素子に印加する駆動電圧を制御する表示装置が提案されている。また、表示パネルの密閉空間内に保湿膜を設けた表示装置が提案されている。
【先行技術文献】
【特許文献】
【０００３】
【特許文献１】特開２００９−２２９６８９号公報
【特許文献２】特開２０１６−１０９７３０号公報
【特許文献３】特開２０１２−８３５９０号公報
【発明の概要】
【発明が解決しようとする課題】
【０００４】
上述した水分量を検出および制御する電気泳動表示装置では、水分量センサ等を設ける必要があり、製造コストの増加、消費電力の増加等を生じる可能性がある。また、保湿膜を設けた表示装置においては、保湿膜が乾燥した場合、最適な湿度を保持することが困難となる。
ここで述べる実施形態の課題は、所望の湿度に調整あるいは回復可能な表示装置および加湿処理装置を提供することにある。
【課題を解決するための手段】
【０００５】
実施形態に係る表示装置は、筐体と、前記筐体内の空間を第１領域と第２領域とに仕切る仕切り部材と、前記第１領域内に配置された表示パネルであって、複数の画素電極が設けられた第１基板と、前記第１基板に対向して設けられた第２基板と、前記第１基板と第２基板との間に設けられた電気泳動素子と、前記第１基板および第２基板の周縁部を封止している封止部材と、を有する表示パネルと、前記第１領域内に配置され前記第１領域内の湿度を保持する調湿部材と、前記第２領域内に配置された駆動回路基板および電源部と、を備えている。
【図面の簡単な説明】
【０００６】
【図１】図１は、実施形態に係る表示装置の外観を示す斜視図。
【図２】図２は、前記表示装置の筐体を分解して示す表示装置の分解斜視図。
【図３】図３は、図１の線Ａ−Ａに沿った表示装置の断面図。
【図４】図４は、前記表示装置における筐体、表示パネル、調湿部材、仕切り板を示す分解斜視図。
【図５】図５は、前記表示パネルの一部を拡大して示す断面図。
【図６】図６は、前記表示装置における仕切り板の背面側を示す斜視図。
【図７】図７は、図１の線Ｂ−Ｂに沿った前記表示装置の断面図。
【図８】図８は、実施形態に係る加湿処理装置を概略的に示す側面図。
【図９】図９は、前記加湿処理装置の棚の一例を示す斜視図。
【発明を実施するための形態】
【０００７】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書および各図において、既出の図に関して前述したものと同様の要素には、同一の符号を付して、詳細な説明を適宜省略あるいは簡略化することがある。
【０００８】
（第１の実施形態）  
図１は、実施形態に係る表示装置の表示面側を示す斜視図、図２は、筐体のカバーを分解した表示装置の分解斜視図である。  
本実施形態では、電気泳動素子あるいは電子インクを用いた電気泳動表示装置１０を示している。図１および図２に示すように、表示装置１０は、ほぼ矩形状の表示パネル１２と、この表示パネルを収容した矩形状の筐体（ケース）１４と、を備えている。筐体１４は、本体１４ａと、カバー１４ｂと、を有している。本体１４ａは、矩形状の底板と、底板の周縁に沿って立設された複数の側板と、を有し、各側板の上端部に段差部が形成されている。カバー１４ｂは、本体１４ａの底板に対向する矩形状の天板と、天板の周縁に沿って立設された複数の側板とを有している。カバー１４ｂは、本体１４ａの側板に嵌合することにより、本体１４ａの開口部を閉塞している。  
カバー１４ｂは、天板に形成された矩形状の表示窓１６を有している。表示パネル１２は矩形状の表示面１２ａを有している。表示パネル１２は、表示面１２ａが表示窓１６に露出した状態で、筐体１４内に配置されている。カバー１４ｂの一側板、例えば、長辺側板に、第１注入口２１が設けられている。第１注入口２１は、後述する加湿器のノズルを差し込み可能に形成されている。なお、表示窓１６の端部と表示パネル１２との間に、パッキン等の樹脂部材を介在させる構成を作用することも可能である。
【０００９】
図３は、図１の線Ａ−Ａに沿った表示装置の断面図、図４は、表示パネル、調湿部材、仕切り板、本体を示す分解斜視図である。  
図２ないし図４に示すように、表示装置１０は、仕切り部材として機能する矩形状の仕切り板５０と、一定の湿度を保つための調湿部材５４と、を有している。仕切り板５０は、金属あるいは樹脂フィルム等により、本体１４ａの内形寸法とほぼ等しい矩形状に形成されている。仕切り板５０は、その周縁部が本体１４ａの段差部１５に係合した状態で、本体１４ａの開口部に装着されている。仕切り板５０は、本体１４ａの底板と隙間を置いてほぼ平行に対向しているとともに、開口部を閉塞している。これにより、仕切り板５０は、筐体１４内の空間を、カバー１４ｂの天板と仕切り板５０との間に位置する第１領域（第１空間）ＡＥ１と、本体１４ａの底板と仕切り板５０との間に位置する第２領域（第２空間）ＡＥ２と、の２つの領域に仕切っている。第１領域ＡＥ１と第２領域ＡＥ２とは、仕切り板５０により、ほぼ気密に区画されている。
【００１０】
調湿部材５４は、仕切り板５０とほぼ等しい大きさの矩形板状に形成されている。調湿部材５４は、表示パネル１２と共に第１領域ＡＥ１内に配置されている。一例では、調湿部材５４は、仕切り板５０上に載置され、第１領域ＡＥ１内のほぼ全域に亘って延在している。調湿部材５４は、吸湿性の高い材料、例えば、多孔質材、高分子高吸水材（例えば、ポリアクリル酸ナトリウム）等で形成されている。調湿部材５４は、湿気、水分を長時間に亘って吸湿保持し、第１領域ＡＥ１内を所望の湿度（例えば、３０〜４０％以上、６０〜７０％以下）に維持する。  
なお、調湿部材５４は、板状に限定されることなく、枠状、複数の単片形状、ブロック形状等、種々の形態を選択可能である。
【００１１】
表示パネル１２は、第１領域ＡＥ１内で調湿部材５４上に配置されている。図２ないし図４に示すように、表示パネル１２は、矩形状のアレイ基板（ＴＦＴ基板、第１基板）１８と、アレイ基板１８に対向して配置された矩形状の対向基板（第２基材）２６ｂと、アレイ基板１８と対向基板２６ｂとの間に設けられたシート状の電気泳動素子層２０と、を備えている。対向基板２６ｂおよび電気泳動素子層２０の周縁部は、防湿材からなる枠状の封止部材ＳＥにより封止されている。  
アレイ基板１８は、仕切り板５０よりも僅かに小さい寸法の矩形状に形成されている。アレイ基板１８は、画像を表示可能な矩形状のアクティブ領域ＡＡおよびアクティブ領域ＡＡの周囲に位置する額縁領域（非表示領域）ＮＡを有している。対向基板２６ｂは、アレイ基板１８よりも僅かに小さな寸法の矩形状に形成され、アレイ基板１８のアクティブ領域ＡＡおよび額縁領域ＮＡに対向して配置されている。アレイ基板１８は、対向基板２６ｂの一側縁から外側に延出した延出端部１８ａを有している。延出端部１８ａ上に駆動素子（駆動ＩＣ）１７が実装されている。延出端部１８ａの一側縁にフレキシブルプリント配線基板（ＦＰＣ）１９の一端が接合されている。ＦＰＣ１９は、アレイ基板１８の図示しない配線を介して駆動素子１７に電気的に接続されている。
【００１２】
図５は、表示パネル１２の一部を拡大して模式的に示す表示パネルの断面図である。図５においては、各構成要素を見やすくするため、構成要素によって寸法の縮尺を変更して示すことがある。  
図５に示すように、アレイ基板１８は、例えば、合成樹脂（ポリイミド等）あるいはガラスで形成された絶縁基板２２と、絶縁基板２２の表面に形成された絶縁層２４と、を有している。絶縁基板２２は、表示面１２ａと反対側に配置されるため、透明でなくてもよい。アレイ基板１８は、アクティブ領域ＡＡにおいて、絶縁層２４上にマトリクス状に設けられた複数の画素電極ＰＥ、画素電極ＰＥに電圧を供給する図示しないスイッチング素子ＳＷ、信号線、走査線等を有している。額縁領域ＮＡにおいて、絶縁層２４上に図示しない複数の配線が設けられている。画素電極ＰＥは、例えば、インジウム・ティン・オキサイド（ＩＴＯ）等の透明導電材料やＡｌ等の金属材料等により形成された電極であり、後述する共通電極との間で電気泳動素子に電圧を印加する。絶縁層２４、画素電極ＰＥ、配線に重ねて、アレイ基板１８のアクティブ領域ＡＡおよび額縁領域ＮＡの全面に導電性の粘着層２５が設けられている。
【００１３】
シート状の電気泳動素子層２０は、粘着層２５に重ねて配置され、この粘着層２５によりアレイ基板１８に貼付されている。電気泳動素子層２０は、矩形状の第１基材（フィルム）２６ａと、第１基材２６ａに隙間を置いて対向配置された矩形状の第２基材（フィルム）２６ｂと、第１基材２６ａと第２基材２６ｂとの間に分散配置された多数のマイクロカプセル３０と、を有している。第１基材２６ａおよび第２基材２６ｂは、例えば、ポリエチレンテレフタレート（ＰＥＴ）等の透明樹脂で形成されている。少なくとも、表示面１２ａ側となる第２基材２６ｂは、透明な基材を用いる。本実施形態では、第２基材２６ｂは、表示パネル１２の対向基板を構成している。第２基材２６ｂの内面の全面に亘り共通電極２８が設けられている。共通電極２８は、画素電極ＰＥとともに電気泳動素子に電圧を印加する電極であり、例えば、ＩＴＯ、マグネシウム銀、インジウム亜鉛酸化物（ＩＺＯ）等から形成された透明電極を用いている。
【００１４】
各マイクロカプセル３０は、例えば、５０〜１００μｍ程度の粒径を有している。マイクロカプセル３０は、球状の外殻部（外皮）３２と、外皮３２内に収容された複数の白色粒子（電気泳動粒子）３４ａ、複数の赤色粒子（電気泳動粒子）３４ｂ、および分散媒３６と、を有している。図示では、模式的に少数に示しているが、マイクロカプセル３０は、１つの画素電極ＰＥと対向する領域に１つあるいは複数個、設けられている。更に、マイクロカプセル３０は、第１基材２６ａと第２基材２６ｂとの間の全域に亘って、すなわち、アクティブ領域ＡＡの全域に亘って、分散配置されている。
【００１５】
マイクロカプセル３０の外殻部（外皮）３２は、例えば、アクリル樹脂、ユリア樹脂、アラビアガムなどの透光性を持つ高分子樹脂などを用いて形成されている。分散媒３６は、マイクロカプセル３０内において、赤色粒子３４ｂと、白色粒子３４ａとを分散させる液体である。分散媒３６としては、水、アルコール系溶媒（メタノール、エタノール、イソプロパノール、ブタノール、オクタノール、メチルセロソルブなど）、エステル類（酢酸エチル、酢酸ブチルなど）などを例示することができ、その他の油類であってもよい。これらの物質は単独または混合物として用いることができ、さらに界面活性剤などを配合してもよい。
【００１６】
白色粒子３４ａは、例えば、負に帯電されて用いられる。赤色粒子３４ｂは、例えば、正に帯電されて用いられる。  
これらの各粒子には、必要に応じて、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。  
また、白色粒子３４ａおよび赤色粒子３４ｂに代えて、例えば黒色、緑色、青色、イエロー、シアン、マゼンタなどの顔料を用いてもよい。
【００１７】
電気泳動素子層２０は、第１基材２６ａ側が粘着層２５に貼付され、アレイ基板１８に対向している。電気泳動素子層２０は、アレイ基板１８のアクティブ領域ＡＡおよび額縁領域ＮＡを覆っている。前述したように、電気泳動素子層２０の周囲は、枠状の封止部材ＳＥにより封止されている。封止部材ＳＥは、電気泳動素子層２０内への水分、湿気の浸入を防止する防湿材としても機能する。
【００１８】
表示面１２ａ側に位置する第２基材２６ｂの外面（表面）に接着層４０を介してバリア層４２が貼付されている。更に、バリア層４２上に保護基材４４が積層されている。接着層４０、バリア層４２、保護基材４４は、同一寸法の矩形状に形成され、また、平面視で、アクティブ領域ＡＡよりも僅かに大きい寸法に形成されている。  
バリア層４２は、例えば、ＳｉＮ、ＳｉＯ等の透明な無機材料で形成されている。バリア層４２は、電気泳動素子層２０への水分、湿気の浸入を防止する防湿層としても機能する。保護基材４４は、例えば、ＰＥＴ等の透明な樹脂材料で形成されている。保護基材４４の外面は、表示パネル１２の表示面１２ａを構成している。
【００１９】
表示パネル１２において、電気泳動素子層２０に赤表示する場合、対応する任意の画素電極ＰＥを共通電極２８よりも相対的に高電位に保持する。すなわち、共通電極２８の電位を基準電位としたとき、画素電極ＰＥが正極性に保持される。これにより、画素電極ＰＥに対向するマイクロカプセル３０において、正に帯電した赤色粒子３４ｂが共通電極２８に引き寄せられる一方、負に帯電した白色粒子３４ａが画素電極ＰＥに引き寄せられる。その結果、共通電極２８側から画素電極ＰＥに対応する画素を観察すると赤色が視認される。一方、任意の画素に白表示させる場合には、共通電極２８の電位を基準電位としたとき、対応する画素電極ＰＥが負極性に保持される。これにより、マイクロカプセル３０において、負に帯電した白色粒子３４ａが共通電極２８側へ引き寄せられる一方、正に帯電した赤色粒子３４ｂが画素電極ＰＥに引き寄せられる。その結果、この画素を観察すると白色が視認される。このように、アレイ基板１８のアクティブ領域ＡＡでは、任意の画素電極ＰＥに電圧を印加することにより、任意の文字、画像等を表示あるいは書換えすることができる。
【００２０】
図３に示すように、表示パネル１２は、アレイ基板１８側が調湿部材５４上に載置された状態で筐体１４の第１領域ＡＥ１内に配置されている。表示パネル１２の周縁部はカバー１４ｂにより覆われている。表示パネル１２のバリア層４２および保護基材４４、すなわち、表示面１２ａは、カバー１４ｂの表示窓１６の全面に対向し、表示窓１６を通して外部に露出している。なお、アレイ基板１８の表面（上面）の内、延出端部等の封止部材ＳＥに覆われていない部分を樹脂等で覆う構成も採用可能である。この場合、駆動素子１７やＦＰＣ１９等、アレイ基板１８に接続された状態で第１領域ＡＥ１に属する部材についても係る樹脂で覆う構成を採用することができる。
【００２１】
図６は、仕切り板の背面側を示す斜視図である。図３および図６に示すように、筐体１４の第２領域ＡＥ２内に、駆動回路基板６０、電源部としてのバッテリＢＴ、および充電用の給電コイル６２が収納されている。一例では、駆動回路基板６０、バッテリＢＴ、および給電コイル６２は、仕切り板５０の背面（本体１４ａの底板と対向する面）上に設置されている。バッテリＢＴおよび給電コイル６２は、配線ＷＬを介して駆動回路基板６０に電気的に接続されている。
【００２２】
図３、図４、図６に示すように、仕切り板５０の一側縁部に矩形状の第１開口５１ａあるいは切欠部が形成されている。また、調湿部材５４の一側縁部に第２開口５５ａあるいは切欠部が形成されている。第１および第２開口５１ａ、５５ａは互いに重なって位置し、第１および第２開口５１ａ、５５ａを通して、第１領域ＡＥ１と第２領域ＡＥ２とが部分的に連通している。第２開口５５ａは、第１開口５１ａよりも僅かに長い寸法に形成されている。第２開口５５ａの一端部（拡幅部）５５ｂは、第１開口５１ａに重なることなく、仕切り板５０に対向している。  
アレイ基板１８に接合されたＦＰＣ１９は、表示パネル１２側から第２開口５５ａおよび第１開口５１ａを通過して第２領域ＡＥ２内に回り込んで設けられている。ＦＰＣ１９の他端は、駆動回路基板６０に接合されている。これにより、表示パネル１２の駆動素子１７は、ＦＰＣ１９を介して、駆動回路基板６０に電気的に接続されている。
【００２３】
図２ないし図４に示すように、第１開口５１ａおよび第２開口５５ａに、ゴムあるいは合成樹脂等で形成された弾性を有する栓部材（閉塞部材）７０が装着され、この栓部材７０により第１および第２開口５１ａ、５５ａが閉塞されている。すなわち、栓部材７０を設けることにより、第１領域ＡＥ１と第２領域ＡＥ２とは各々で気密空間となり、これらの領域間の空気の流通は抑制される。ＦＰＣ１９は、栓部材７０に形成されたスリット７１を通して、第１領域ＡＥ１から第２領域ＡＥ２に延出している。スリット７１の位置で、栓部材７０はＦＰＣ１９の両面に弾性的に密着し、気密性を維持している。栓部材７０は、表示パネル１２側に延出したカバー部７２を一体に有し、このカバー部７２は、ＦＰＣ１９の接合部および駆動素子１７を覆っている。
【００２４】
図７は、図１の線Ｂ−Ｂに沿った表示装置の断面図であり、筐体の第１注入口を含む断面を示す断面図である。図２、図４、図７に示すように、栓部材７０は、第１開口５１ａから側方に延在する板状の延出部７４を一体に有している。延出部７４は、第１領域ＡＥ１において、仕切り板５０上に配置され、更に、カバー１４ｂの第１注入口２１に対向している。延出部７４に、スリット状の第２注入口７５が形成されている。第２注入口７５は、第１注入口２１に対向しているとともに、第１領域ＡＥ１に連通している。本実施形態では、第２開口５５ａは、第１開口５１ａの縁部よりも第２注入口７５に対向する位置まで拡幅され拡幅部５５ｂを形成している。第２注入口７５は、この拡幅部５５ｂを介して第１領域ＡＥ１に連通している。なお、通常、第２注入口７５は、栓部材７０の弾性により、閉じた状態に保持されている。
【００２５】
図７に２点鎖線で示すように、後述する加湿器のノズル８０を筐体１４の第１注入口２１に差し込むと、ノズル８０の先端は栓部材７０の第２注入口７５に挿通され、筐体１４の第１領域ＡＥ１内に突出する。この状態で、加湿器から加湿空気を供給し、ノズルから第１領域ＡＥ内に加湿空気を送りこむことができる。ノズル８０を引き抜くと、栓部材７０の弾性により、第２注入口７５が閉じ、第１領域ＡＥ１の気密性が維持される。
なお、筐体１４のカバー１４ｂに別途、排気口８１（図９参照）を設け、加湿空気を注入する際、排気口８１から第１領域ＡＥ１内を排気するようにしてもよい。この場合、排気口８１は、カバー１４ｂにおいて、第１注入口２１と反対側の側板に設けることが望ましい。注入しながら第１領域ＡＥ１の乾燥空気を排気することにより、第１領域ＡＥ１に効率良く加湿空気を充填することができる。
【００２６】
以上のように構成された本実施形態に係る表示装置１０によれば、仕切り板５０により筐体１４内の空間を第１領域ＡＥ１と第２領域ＡＥ２とに仕切り、一方の第１領域ＡＥ１に表示パネル１２および調湿部材５４を配置し、他方の第２領域ＡＥ２内に駆動回路基板６０、電源部ＢＴ等を配置している。調湿機能を持つ調湿部材５４および表示パネル１２を第１領域ＡＥ１に設けることにより、表示装置１０を乾燥した環境で使用している間も、第１領域ＡＥ１および表示パネル１２を一定の湿度を保つことができる。これにより、電気泳動素子層２０の劣化を抑制し、長期間に亘って良好な表示品位を維持可能な表示装置が得られる。比較的に湿気に弱い駆動回路基板６０、電源部ＢＴ等は、第１領域ＡＥ１に対して仕切られた第２領域ＡＥ２に配置されているため、調湿部材５４による調湿による影響はほとんど受けない。
【００２７】
更に、本実施形態に係る表示装置によれば、調湿部材５４が乾燥して表示品位が低下した場合でも、第１注入口２１を介して第１領域ＡＥ１を加湿することにより、調湿部材５４および表示パネル１２を適度な湿度に回復し、良好な表示品位を復活することが可能である。前述したように、駆動回路基板６０、電源部ＢＴ等が配置された第２領域ＡＥ２は、第１領域ＡＥ１に対して仕切り板５０で仕切られている。そのため、第１領域ＡＥ１を加湿する際、第２領域ＡＥ２が加湿されることがなく、駆動回路基板６０、電源部ＢＴ等が悪影響を受けることがない。
【００２８】
次に、表示装置１０を回復処理するための加湿処理装置の一例を説明する。  
図８は、実施形態に係る加湿処理装置の一部を破断して概略的に示す側面図、図９は、加湿処理装置の棚の一例を示す斜視図である。これらの図に示すように、加湿処理装置は、箱状のハウジング８２と、ハウジング内に複数段重ねて配置された複数の載置棚（載置台）８４と、ハウジング８２内、あるいは、表示装置１０の第１領域ＡＥ１に所望湿度の加湿空気を供給する加湿器８６と、表示装置１０のバッテリＢＴを充電する電力供給装置８８と、これらの動作を制御するコントローラ９０と、を備えている。本実施形態では、加湿処理装置は、表示装置１０内から空気を排気（吸気）するための排気ポンプ９２を備えている。
【００２９】
載置台８４は、表示装置１０に対応した寸法を有する矩形状の底壁８４ａと、底壁８４ａの３辺に沿って立設された左右の側壁８４ｂおよび後壁８４ｃと、後壁８４ｃに対向する挿入口８４ｄと、を有している。底壁８４ａの角部に充電用の給電コイル９４が埋め込まれている。給電コイル９４は、表示装置１０の給電コイル６２と対向可能な位置に配置されている。後壁８４ｃにノズル８０が取り付けられている。ノズル８０は、後壁８４ｃを貫通し、載置台８４の内側に所定長さ突出している。
【００３０】
加湿器８６の吐出口は、複数に分岐した第１配管９６ａを介して各段のノズル８０に接続されている。また、加湿器８６の吐出口は、第２配管９６ｂを介して、ハウジング８２内の空間に連通している。電力供給装置８８は、配線Ｗ２Ｌを介して、各段の給電コイル９４に接続されている。更に、排気ポンプ９２は、複数に分岐した第３配管９６ｃを介して、各段の設置空間に連通し、表示装置１０の排気口８１（図９参照）に接続可能としている。
【００３１】
図８および図９に示すように、表示装置１０の回復処理、すなわち、加湿および充電する場合、表示装置１０は、挿入口８４ｄを通して、載置台８４の底壁８４ａ上に載置され、後壁８４ｃの近傍まで押し込まれる。ノズル８０は、表示装置１０の第１注入口２１および第２注入口７５に差し込まれ、筐体１４の第１領域ＡＥ１に連通する。また、表示装置１０の給電コイル６２は、載置台８４の給電コイル９４と対向して位置する。  
この状態で、電力供給装置８８から配線Ｗ２Ｌを介して給電コイル９４に通電すると、給電コイル９４が励起し、表示装置１０の給電コイル６２に磁力を印加する。これにより、給電コイル６２が電力を発生し、バッテリＢＴに充電する。このようにしてバッテリＢＴを所定時間、充電処理する。
【００３２】
充電処理の間、加湿器８６から第１配管９６ａおよびノズル８０を通して、表示装置１０の第１領域ＡＥ１に加湿空気を所定時間、供給する。加湿空気により調湿部材５４を加湿して調湿部材５４の調湿機能を回復させるとともに、第１領域ＡＥ１内の湿度を３０％以上、７０％以下程度に回復させる。加湿処理の間、仕切り板５０および栓部材７０により、係る加湿空気の第２領域ＡＥ２への流入は十分に抑制される。  
加湿処理の間、排気ポンプ９２により第３配管９６ｃ、排気口８１を介して第１領域ＡＥ１内の乾燥空気を排気してもよい。排気することにより、加湿空気をノズル８０から第１領域ＡＥ１内に効率良く供給、充填することが可能となる。
【００３３】
なお、充電処理および湿度回復処理を同時に行う場合に限らず、いずれか一方の処理のみを実施してもよいし、充電処理と湿度回復処理とを時差を持って順番に実施するようにしてもよい。第１注入口を持たない表示装置の湿度回復処理を行う場合、加湿器８６から第２配管９６ｂを介してハウジング８２内に加湿空気を供給し、加湿空気により表示装置１０の表示パネル１２を加湿し、電気泳動素子層２０を回復させることも可能である。  
以上のように、加湿処理装置は、表示装置１０を加湿し、表示パネル１２の表示品位を回復することができるとともに、表示装置１０のバッテリＢＴをワイヤレスで充電することができる。以上のことから、本実施形態によれば、所望の湿度に調整あるいは回復可能な表示装置および加湿処理装置が得られる。
【００３４】
本発明の実施形態を説明したが、実施形態は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００３５】
本発明の実施形態として上述した各構成を基にして、当業者が適宜設計変更して実施し得る全ての構成も、本発明の要旨を包含する限り、本発明の範囲に属する。例えば、表示パネル外形状は、矩形状に限定されることなく、平面視多角形状や円形、楕円形、およびこれらを組み合わせた形状等の他の形状としてもよい。湾曲部は、表示領域の側縁部に限らず、表示領域全体を湾曲させる構成としてもよい。表示装置の構成部材の材料は、上述した例に限らず、種々選択可能である。  
上述した実施形態によりもたらされる他の作用効果について本明細書の記載から明らかなもの、又は当業者において適宜想到し得るものついては、当然に本発明によりもたらされるものと解される。
【符号の説明】
【００３６】
１０…表示装置、１２…表示パネル、１２ａ…表示面、１４…筐体、  
１４ａ…本体、１４ｂ…カバー、１６…表示窓、１８…アレイ基板、  
２０…電気泳動素子層、５０…仕切り板、５４…調湿部材、６２…給電コイル、  
７０…栓部材、８０…ノズル、８２…ハウジング、８４…載置台、  
８６…加湿器、８８…電力供給装置、９４…給電コイル、ＡＥ１…第１領域、  
ＡＥ２…第２領域、ＰＥ…画素電極、ＳＥ…封止部材、ＢＴ…バッテリ
【図１】
2019211517.tif 000003
【図２】
2019211517.tif 000004
【図３】
2019211517.tif 000005
【図４】
2019211517.tif 000006
【図５】
2019211517.tif 000007
【図６】
2019211517.tif 000008
【図７】
2019211517.tif 000009
【図８】
2019211517.tif 000010
【図９】
2019211517.tif 000011